(57)【特許請求の範囲】
【請求項１】
波付けがされた瓦の端部を波の進行方向に重ねて接続する瓦の固定具であって、下に重ねられる瓦の端部の波の山部の上に載置されて屋根下地に固定される押さえ部と、押さえ部の先端縁より上方に折り返して押さえ部との間で上に重ねられる瓦の端部の波の山部の先端部を保持する保持片を備え、保持片の先端部に押さえ部側に突出する突部を形成し、押さえ部に突部が挿入される凹所を形成して成ることを特徴とする瓦の固定具。
【請求項２】
押さえ部の基端縁より屋根下地に固定する平坦な固定片を下方に折り返して成ることを特徴とする請求項１記載の瓦の固定具。
【請求項３】
押さえ部に屋根下地に固定する固定釘を貫通する貫通孔を形成して成ることを特徴とする請求項１記載の瓦の固定具。
【請求項４】
保持片の先端部に先端側程押さえ部より離れる受入れ片を備えて成ることを特徴とする請求項１記載の瓦の固定具。
【発明の詳細な説明】
【０００１】
【発明の属する技術分野】
本発明は、瓦の固定具に関し、詳しくは、瓦の接続箇所において固定釘が露出すること、及び、固定釘を伝って雨水が屋根下地に浸透することを防止しようとする技術に係るものである。
【０００２】
【従来の技術】
従来、波付けがされた瓦１の端部を波の進行方向に重ねて固定する構造は、図８に示すように、瓦１、１の端部を波の進行方向に重ね、瓦１、１間にパッキンＰを介装し、瓦１、１に固定釘７を打ち込んで固定するものである。
【０００３】
【発明が解決しようとする課題】
ところで、このような瓦の固定構造においては、瓦の接続箇所において固定釘７が露出して外観が低下するのであり、又、固定釘７を伝って雨水が屋根下地３に浸透して瓦棒のような木製の屋根下地３を早期に劣化させるのである。
【０００４】
本発明はこのような問題に鑑みてなされたものであり、瓦の接続箇所において固定釘が露出すること、及び、固定釘を伝って雨水が屋根下地に浸透することを防止することができる瓦の固定具を提供することを課題とするものである。
【０００５】
【課題を解決するための手段】
請求項１においては、波付けがされた瓦の端部を波の進行方向に重ねて接続する瓦の固定具であって、下に重ねられる瓦１の端部の波の山部２の上に載置されて屋根下地３に固定される押さえ部４と、押さえ部４の先端縁より上方に折り返して押さえ部４との間で上に重ねられる瓦１の端部の波の山部２の先端部を保持する保持片５を備え、保持片５の先端部に押さえ部４側に突出する突部９を形成し、押さえ部４に突部９が挿入される凹所１０を形成していることを特徴とするものである。
【０００６】
このような構成によれば、屋根下地３に固定される押さえ部４によって下の瓦１の端部の波の山部２を押さえ、押さえ部４より折り返した保持片５との間に上の瓦１の端部を差し込み保持することで瓦１、１の接続がおこなえるのであり、押さえ部４を固定する固定釘７が露出することがなく、外観が低下することがなく、又、固定釘７が露出しないことから、雨水が固定釘７を伝って木製の屋根下地３に浸透するのを回避することができる。
更に、請求項１においては、保持片５の先端部に押さえ部４側に突出する突部９を形成し、押さえ部４に突部９が挿入される凹所１０を形成しているから、保持片５の突部８が押さえ部４の凹所１０に挿入されようとすることで保持片５と押さえ部４とによる保持力を高めることができる。
【０００７】
請求項２においては、押さえ部４の基端縁より屋根下地３に固定する平坦な固定片６を下方に折り返していることを特徴とするものである。このような構成によれば、固定片６において釘打ちをすることで固定具Ａを屋根下地３に固定することができ、重ねる瓦１、１に固定釘７を貫通しなくてもよく、施工性を高め、瓦１を変形や損傷することがなくてよい。
【０００８】
請求項３においては、押さえ部４に屋根下地３に固定する固定釘７を貫通する貫通孔８を形成していることを特徴とするものである。このような構成によれば、貫通孔８において施工した固定釘７は上に重ねられる瓦１によって隠すことができ、釘打ちを採用する構成でありながら、外観が低下することがなく、又、雨水が固定釘７を伝って木製の屋根下地３に浸透するのを回避することができる。
【００１０】
請求項４においては、保持片５の先端部に先端側程押さえ部４より離れる受入れ片１１を備えていることを特徴とするものである。このような構成によれば、先端側程押さえ部４より離れる受入れ片１１によって上の瓦１の先端部を円滑に保持片５と押さえ部４との間に受け入れることができ、施工性を高めることができる。
【００１１】
【発明の実施の形態】
以下、本発明の実施の形態を説明する。図１（ａ）は参考例の斜視図、同図（ｂ）は瓦を固定した状態の断面図である。図２（ａ）は同上の平面図、同図（ｂ）は側面図である。図３（ａ）（ｂ）（ｃ）は施工手順を示す斜視図である。
【００１２】
固定具Ａは例えば金属製であり、波付けがされた例えば金属製の瓦１、１の端部を波の進行方向に重ねて接続するものである。固定具Ａは下に重ねられる瓦１の端部の波の山部２の上に載置されて屋根下地３に固定される押さえ部４と、押さえ部４の先端縁より上方に折り返して押さえ部４との間で上に重ねられる瓦１の端部の波の山部２の先端部を保持する保持片５を備えている。
【００１３】
具体的には、押さえ部４は瓦１の波の山部２の形状に略等しくなり、押さえ部４の先端から押さえ部４に沿って保持片５が折り返されている。押さえ部４の基端部から裏面側に平坦な固定片６が折り返され、固定片６の幅Ｗ１は押さえ部２の幅Ｗ２よりも広幅になっていて、固定片６の両端部に形成した貫通孔８、８への固定釘７の打ち込みを容易にしている。固定片６は別な板材１４を押さえ部４と一連に形成された底部片１５に例えばスポット溶接等して一体化している。押さえ部４の基端部の折り返し部１３は瓦１の波の進行方向の端部に合致して瓦１の端部を抱持するようにしている。
【００１４】
このような固定具Ａは、図３（ａ）に示すように、貫通孔８においてビスのような固定釘７にて瓦棒１７のような屋根下地３に固定し、同図（ｂ）に示すように、瓦１の端部を押さえ部４の下に差し込み、押さえ部４にて瓦１の端部の波の山部２を押さえて下の瓦１を固定する。次に、同図（ｃ）に示すように、上の瓦１の端部の波の山部２を下の瓦１の端部の波の山部２に合致させ、瓦１の先端部を保持片５と押さえ部４との間に差し込み、上下の瓦１、１を接続するのである。
【００１５】
このように、屋根下地３に固定される押さえ部４によって下の瓦１の端部の波の山部２を押さえ、押さえ部４より折り返した保持片５との間に上の瓦１の端部を差し込み保持することで瓦１、１の接続がおこなえるのであり、押さえ部４を固定する固定釘６が露出することがなく、外観が低下することがなく、又、固定釘７が露出しないことから、雨水が固定釘７を伝って木製の屋根下地３に浸透するのを回避することができるのである。
【００１６】
更に、固定片６において釘打ちをすることで固定具Ａを屋根下地３に固定することができ、重ねる瓦１、１に固定釘７を貫通しなくてもよく、施工性を高め、瓦１を変形させたり、損傷することがなくてよいものである。
【００１７】
図４は本発明の実施の形態を示し、同図（ａ）は斜視図、同図（ｂ）は瓦を固定した状態の断面図である。但し、本実施の形態の基本構成は上記参考例の実施の形態と共通であり、共通する部分には同一の符号を付して説明は省略する。
【００１８】
本実施の形態の固定具Ａは、押さえ部４に屋根下地３に固定する固定釘７を貫通する貫通孔８を形成して、押さえ部４を屋根下地３に固定するようにしたものである。
【００１９】
本実施の形態においては、図７（ａ）に示すように、下の瓦１の波の山部２の上に押さえ部４を載せ、押さえ部４の貫通孔８に挿入した固定釘７を瓦１に貫通させて屋根下地３に固定し、同図（ｂ）に示すように、上の瓦１の端部を保持片５と押さえ部４との間に挿入して上下の瓦１、１の波の山部２、２を重ねて瓦１、１を接続するのである。
【００２０】
本実施の形態においては、貫通孔８において施工した固定釘７は上に重ねられる瓦１によって隠すことができ、釘打ちを採用する構成でありながら、外観が低下することがなく、又、雨水が固定釘７を伝って木製の屋根下地３に浸透するのを回避することができるのである。
【００２１】
更に、保持片５の先端部に押さえ部４側に突出する突部９を折り曲げて形成し、押さえ部４に突部９が挿入される凹所１０を形成している。しかして、保持片４の突部８を押さえ部４の凹所１０に挿入することで保持片５と押さえ部４とによる保持力を高めることができるのである。
【００２２】
又、保持片５の先端部に先端側程押さえ部４より離れる受入れ片１１を備えている。しかして、先端側程押さえ部４より離れる受入れ片１１によって上の瓦１の先端部を円滑に保持片５と押さえ部４との間に受け入れることができ、施工性を高めることができるのである。
【００２３】
本実施の形態の固定具Ａは図６に示すように、貫通孔８及び凹所１０となる開口を打ち抜き、同図（ｂ）に示すように、曲げ加工をおこない、更に同図（ｃ）に示すように、保持片５を曲げ加工して得られるものである。
【００２４】
【発明の効果】
請求項１においては、波付けがされた瓦の端部を波の進行方向に重ねて接続する瓦の固定具であって、下に重ねられる瓦の端部の波の山部の上に載置されて屋根下地に固定される押さえ部と、押さえ部の先端縁より上方に折り返して押さえ部との間で上に重ねられる瓦の端部の波の山部の先端部を保持する保持片を備え、保持片の先端部に押さえ部側に突出する突部を形成し、押さえ部に突部が挿入される凹所を形成しているから、屋根下地に固定される押さえ部によって下の瓦の端部の波の山部を押さえ、押さえ部より折り返した保持片との間に上の瓦の端部を差し込み保持することで瓦の接続がおこなえるのであり、押さえ部を固定する固定釘が露出することがなく、外観が低下することがなく、又、固定釘が露出しないことから、雨水が固定釘を伝って木製の屋根下地に浸透するのを回避することができるという利点がある。
更に、請求項１においては、保持片の先端部に押さえ部側に突出する突部を形成し、押さえ部に突部が挿入される凹所を形成しているから、保持片の突部が押さえ部の凹所に挿入されようとすることで保持片と押さえ部とによる保持力を高めることができるという利点がある。
【００２５】
請求項２においては、請求項１の効果に加えて、押さえ部の基端縁より屋根下地に固定する平坦な固定片を下方に折り返しているから、固定片において釘打ちをすることで固定具を屋根下地に固定することができ、重ねる瓦に固定釘を貫通しなくてもよく、施工性を高め、瓦を損傷することがなくてよいという利点がある。
【００２６】
請求項３においては、請求項１の効果に加えて、押さえ部に屋根下地に固定する固定釘を貫通する貫通孔を形成しているから、貫通孔において施工した固定釘は上に重ねられる瓦によって隠すことができ、釘打ちを採用する構成でありながら、外観が低下することがなく、又、雨水が固定釘を伝って木製の屋根下地に浸透するのを回避することができるという利点がある。
【００２８】
請求項４においては、請求項１の効果に加えて、保持片の先端部に先端側程押さえ部より離れる受入れ片を備えているから、先端側程押さえ部より離れる受入れ片によって上の瓦の先端部を円滑に保持片と押さえ部との間に受け入れることができ、施工性を高めることができるという利点がある。
【図面の簡単な説明】
【図１】  本発明の参考例の実施の一形態を示し、（ａ）は斜視図、（ｂ）は瓦を固定した状態の断面図である。
【図２】（ａ）は同上の平面図、（ｂ）は側面図である。
【図３】（ａ）（ｂ）（ｃ）は施工手順を示す斜視図である。
【図４】  本発明の実施の形態を示し、（ａ）は斜視図、（ｂ）は瓦を固定した状態の断面図である。
【図５】（ａ）は平面図、（ｂ）は側面図である。
【図６】同上の製作手順を示し、（ａ）は平面図、（ｂ）（ｃ）は側面図である。
【図７】（ａ）（ｂ）（ｃ）は施工手順を示す斜視図である。
【図８】従来例の概略断面図である。
【符号の説明】
１  瓦
２  山部
３  屋根下地
４  押さえ部
５  保持片
【図１】
0003685085.tif 000002
【図２】
0003685085.tif 000003
【図３】
0003685085.tif 000004
【図４】
0003685085.tif 000005
【図５】
0003685085.tif 000006
【図６】
0003685085.tif 000007
【図７】
0003685085.tif 000008
【図８】
0003685085.tif 000009